(57)【要約】【課題】スイッチボックスの蓋体を開放せずに、該蓋体がドリリングされた場合であっても、シャッターを開放させないような構造を有するスイッチボックスを提供する。【解決手段】蓋体３と内部に設けた押ボタンスイッチを有するスイッチボックス１において、該蓋体３の裏面と該押ボタンスイッチとの間に板状バネ部材１０を設ける。該バネ部材１０は常時は該蓋体３の裏面側に膨出しており、蓋体側から該バネ部材に力が作用すると該押ボタンスイッチ側に膨出して、押ボタンスイッチの停止ボタン５を押圧する。該バネ部材１０は好ましくは該蓋体３に装着されている。【選択図】図２
2005090113.tif 000002
【特許請求の範囲】
【請求項１】
蓋体と内部に設けた押ボタンスイッチを有するスイッチボックスにおいて、該蓋体の裏面と該押ボタンスイッチとの間に板状バネ部材を設け、該バネ部材は、該蓋体側から力が作用すると該押ボタンスイッチ側に膨出して該押ボタンスイッチの停止ボタンを押すように構成されていることを特徴とするシャッター操作用スイッチボックス。
【請求項２】
請求項１において、該バネ部材は常時は該蓋体の裏面側に膨出しており、蓋体側から該バネ部材に力が作用すると該押ボタンスイッチ側に膨出することを特徴とするシャッター操作用スイッチボックス。
【請求項３】
請求項２において、該バネ部材の両端は該蓋体の裏面から離間させて支持されていることを特徴とするシャッター操作用スイッチボックス。
【請求項４】
請求項１乃至３いずれかにおいて、該バネ部材は該蓋体に装着されていることを特徴とするシャッター操作用スイッチボックス。
【請求項５】
請求項４において、該バネ部材は、該蓋体の略全面を覆うように装着されることを特徴とするシャッター操作用スイッチボックス。
【請求項６】
請求項１乃至５いずれかにおいて、該バネ材は該押ボタンスイッチ側に突成された押圧突部を有しており、該バネ材は該突部を介して該停止ボタンを押すように構成されたことを特徴とするシャッター操作用スイッチボックス。
【請求項７】
請求項１乃至６いずれかにおいて、常時は、バネ部材の上方部位と蓋体の裏面との間には空間が形成されており、該空間にはスペーサが設けてあり、該スペーサは、該バネ部材が押ボタンスイッチ側に膨出することで下方に移動して、バネ部材の上下方向の中間部位に位置するように構成されており、該スペーサが、押ボタンスイッチ側に膨出したバネ部材が再び蓋体の裏面側に膨出することを規制することを特徴とするシャッター操作用スイッチボックス。
【発明の詳細な説明】
【技術分野】
【０００１】
本発明は、シャッター操作用のスイッチボックスに係り、詳しくは、防犯機能に優れたスイッチボックスの構造に関するものである。
【背景技術】
【０００２】
従来、シャッター装置の屋外側にはシャッター操作用のスイッチボックスが設置されている。図７は従来のスイッチボックスを示す図である。スイッチボックス１は、開口部を有する箱体２と、箱体２の開口部を開閉する蓋体３と、箱体２内に収容された押ボタンスイッチ（開ボタン４，停止ボタン５，閉ボタン６）を有する。蓋体３には鍵孔７が形成されており、図示しない鍵を用いた鍵操作によってスイッチボックスの蓋体３を開放し、開ボタン４を押すことで、シャッターカーテンを上昇させて開口部を開放する。
【０００３】
しかしながら、最近、スイッチボックスの鍵を用いずに、蓋体３の上から直接ドリルで孔を開け、その孔を利用して開ボタン４を押してシャッターカーテンを上昇させて、室内に侵入するという犯罪が発生している。
【特許文献１】特開２００３−１７２０８１号公報
【発明の開示】
【発明が解決しようとする課題】
【０００４】
本発明は、スイッチボックスの蓋体を開放せずに、該蓋体がドリリングされた場合であっても、シャッターを開放させないような構造を有するスイッチボックスを提供することを目的とするものである。本発明の他の目的は、別途新たなスイッチやその配線を設けることなく、シャッターの開放を防止することにある。本発明の他の目的は、既設のスイッチボックスに対して、簡単な部品の交換によって実現できるシャッターの開放防止手段を提供することにある。本発明のさらに他の目的は、リモコン操作等の通常の開閉操作に支障を与えないシャッターの開閉防止手段を提供することにある。
【課題を解決するための手段】
【０００５】
かかる課題を達成するために本発明が採用した技術手段は、蓋体と内部に設けた押ボタンスイッチを有するスイッチボックスにおいて、該蓋体の裏面と該押ボタンスイッチとの間に板状バネ部材を設け、該バネ部材は、該蓋体側から力が作用すると該押ボタンスイッチ側に膨出して該押ボタンスイッチの停止ボタンを押すように構成されていることを特徴とするものである。シャッター装置においては、停止ボタンが押されている間は、開ボタンあるいは閉ボタンが押されても信号が開閉機のモータに送信されないようになっており、板状バネ部材によって停止ボタンが押されていればシャッターを開放することができない。
【０００６】
好ましい態様では、該バネ部材は両端において支持されており、該バネ部材は常時は該蓋体の裏面側に膨出しており、蓋体側から該バネ部材に力が作用すると該押ボタンスイッチ側に膨出するように構成される。蓋体から押ボタンスイッチに向う力が該バネ部材に作用すると、該バネ部材は、支持されている両端部を支点として反り返って、該押ボタンスイッチ側に膨出する。押ボタンスイッチ側に膨出したバネ部材は、その膨出状態が維持されるので、継続して停止ボタンを押し続けることとなる。より具体的には、該バネ部材の両端は該蓋体の裏面から離間させて支持されている。
【０００７】
該バネ部材は、スイッチボックスの箱体側に設けることも可能であるが、好ましい態様では、該バネ部材は該蓋体に装着される。バネ部材を蓋体に装着することで、蓋体を開放するとバネ部材による停止ボタンの押圧が解除され、通常の開閉操作を行なうことができる。一つの好ましい態様では、蓋体の裏面に２つの支持片を所定間隔を存して設け、該バネ部材の両端を該支持片にそれぞれ支持させることで、該バネ部材を該蓋体に装着する。
【０００８】
他の好ましい態様では、該バネ部材は、該蓋体の略全面を覆うように装着される。こうすることで、蓋体のどの部分からドリリングされてもドリルの先端がバネ部材に当接し、バネ部材を有効に押ボタンスイッチ側に膨出変姿させることができる。尚、蓋体には通常鍵部が設けてあり、該バネ部材は該鍵部を避けるような形状に形成される。
【０００９】
好ましい態様では、該バネ材は該押ボタンスイッチ側に突成された押圧突部を有しており、該バネ材は該突部を介して該停止ボタンを押すように構成される。該突部は該バネ材と別部材であっても、バネ部材の一部であってもよい。突部を設けることで、該バネ部材が押ボタンスイッチ側に膨出した時に、より確実に停止ボタンを押圧することができる。突部は、好ましくは、板バネ部材の最も膨出する部位（例えば、板状バネ部材の上下両端間の中央部位）に設けられる。
【００１０】
好ましい態様では、スペーサを設けることで、押ボタン側に膨出して押ボタンスイッチを押圧したバネ材が元の位置に復帰することを防止する。常時は、バネ部材の上方部位と蓋体の裏面との間には空間が形成されており、該空間にはスペーサが設けてある。該スペーサは、該バネ部材が押ボタン側に膨出することで下方に移動して（該空間が拡大することによって）、バネ部材の上下方向の中間部位に位置するように構成されており、該スペーサが、押ボタン側に膨出したバネ部材が再び蓋体の裏面側に膨出することを規制する。一つの態様では、スペーサは、蓋体の回動軸に沿って下方に移動するようになっており、回動軸の中間部位には、スペーサが当接することでさらに下方への移動を規制するストッパが設けてある。好ましくは、下方に移動したスペーサが位置する「バネ部材の上下方向の中間部位」はバネ部材の上下方向中央部位あるいはその近傍である。
【発明の効果】
【００１１】
本発明に係るスイッチボックスは、蓋体側から力が作用すると押ボタンスイッチ側に膨出して該押ボタンスイッチの停止ボタンを押すように構成された板バネ部材を有しているので、外部から蓋体にドリリングが行なわれると、ドリルの先端が該バネ部材に当接することで、該バネ部材が該ボタンスイッチ側に膨出して該押ボタンスイッチの停止ボタンを押すことになり、シャッターの開放が防止される。本発明はスイッチボックスが元々有する停止ボタンを利用するものであり、別途スイッチやその配線を設ける必要がなく、設置手間がかからない。スイッチボックスの箱体のみを交換すればよいので、既設のスイッチボックスに対しても容易に採用することができる。蓋体を閉鎖した状態で、開操作を規制するスイッチが常時押圧されるものではないので、リモコン操作等による通常の開操作に支障を与えることがない。
【発明を実施するための最良の形態】
【００１２】
図１、図２に示すように、シャッター操作用スイッチボックス１は、正面に開口部を備えた直方体状の箱体２と、箱体２内に収容された押ボタンスイッチと、箱体２の開口部を開閉する蓋体３とを有している。蓋体３には、鍵操作に連動して回動することで、箱体２の開口枠側に係脱する係止片８が設けてある。蓋体３には鍵孔７が形成されており、鍵孔７に図示しない鍵を入れて操作することで、係止片８が回動して蓋体３側に退避し、蓋体３の開放を可能としている。蓋体３を回動して箱体２の開口部を開放することで、押ボタンスイッチの操作が可能となる。
【００１３】
押ボタンスイッチは、開ボタン４、停止ボタン５、閉ボタン６の三つのボタンを有しており、箱体２内に鉛直状に設けたプレート９に対して上から開ボタン４、停止ボタン５、閉ボタン６の順に配設されており、停止ボタン５は、シャッターボックス１の高さの略中央部位に位置している。開ボタン４、停止ボタン５、閉ボタン６はシャッター開閉機と電気的に接続されている。
【００１４】
図４はシャッターの開閉操作を示す回路図であって、停止ボタン５の接点ＰＢＳは常時は閉じており、開ボタン４の接点ＰＢＵ及び閉ボタン６の接点ＰＢＤは常時は開放されている。開ボタン４を押すと接点ＰＢＵが閉じて開信号が開閉機のモータＭに送信されてシャッターカーテンを上昇させる。閉ボタン６を押すと接点ＰＢＤが閉じて閉信号が開閉機のモータＭに送信されてシャッターカーテンを下降させる。停止ボタン５を押すと、接点ＰＢＳが開放され、開放用、閉鎖用回路の一部が遮断されるようになっている。したがって、停止ボタン５を押している間は、シャッターカーテンの開閉操作は規制される。
【００１５】
図３は蓋体３を示す図であり、ここでの蓋体３は、図７に示すような従来の蓋体３に比べて、補強構造を有している。蓋体３は、縦長方形状の板状の本体３０、本体３０の裏面において、本体の四周縁に近接して設けた補強片３１，３２，３３，３４を有する。蓋体３の面部を構成する本体３０には鍵部を設ける受入孔３５が設けてある。補強片は、上側補強片３１と下側補強片３２と回動先端側補強片３３と回動基端側補強片３４とを有し、図示のものでは、上側補強片３１、下側補強片３２、回動先端側補強片３３とでコ字状の補強枠体が形成されており、回動基端側補強片３４は回動先端側補強片３３よりも若干短尺に形成されている。回動先端側補強片３３には、鍵操作で回動する係止片８が出没する開口３６が形成されている。
【００１６】
上側補強片３１と下側補強片補強片３２との間には、回動基端側に近接して、上下に延出する一本の回動軸３７が設けてあり、回動軸３７の上下端部は補強片３１，３２を貫通すると共に、箱体２の開口部の上下部位に回動可能に軸支される。蓋体３は回動軸３７を介して箱体２に対して回動することで、箱体２の開口部を開閉する。従来のスイッチボックスでは、蓋体の上下部位のみに短尺の回動軸がそれぞれ設けてあったが、図３のように一本の長尺の回動軸３７を採用することで、スイッチボックスの強度を向上させることができる。図７に示す従来のスイッチボックスの蓋体は、板状の本体のみから構成されている。これに対して、図３に示すような補強片３１，３２，３３，３４を設けたものでは、外部からのこじ開けに対して有効に対応することができる。また、補強片３２，３２は、後述するように、バネ材１０の装着に利用することができる。
【００１７】
図１、図２左図に示すように、蓋体３の裏面側には、平板状のバネ材１０が、上下両端を支持された状態で装着されている。バネ材１０の上下の支持部の間の距離は、板バネ材１０の高さ寸法よりも小さい寸法を有しており、バネ材１０は、上下の支持部を支点として弓形状に湾曲されて上下支持部間に支持されている。バネ材１０は、バネ材１０の上下の支持部（上下端部）が、蓋体３の裏面から後方側（押ボタンスイッチ側）に離間した部位に位置するようにして蓋体３に装着されており、バネ材１０と蓋体３の裏面との間には空間が形成されている。バネ材１０は、常時は、上下の支持部（上下端部）を支点として、該空間を利用して、蓋体３に向って膨出状に湾曲された状態で蓋体３に装着されている（図１左図、図２の実線）。図示のものでは、常時は、バネ材１０の膨出部は蓋体３の裏面に当接しているが、常時はバネ材１０の膨出部は蓋体３の裏面に当接していなくてもよい。
【００１８】
一方、バネ材１０と押ボタンスイッチとの間にも空間が形成されており、バネ材１０は、押ボタンスイッチ側に膨出することが可能である。バネ材１０は上下端部が固定されており、バネ材１０に力が作用した場合であっても、上下端部が上下方向に移動したり、上下端部が前後方向に移動したりすることがない。したがって、バネ材１０が蓋体３の本体３０の裏面に向って弓状に膨出した状態において、バネ材１０に、蓋体から押ボタンスイッチに向う力が作用すると、バネ材１０は、その力によって、上下の支持部を支点として反り返って、逆に、押ボタンスイッチに向って膨出する。バネ材１０は、高さ方向（上下方向）の中央部位が最も押ボタンスイッチ側に膨出することになり、最も膨出する部位は、押ボタンスイッチの停止ボタン５に対向している。バネ材１０の高さ方向の中央部位（すなわち、もっとも膨出する部位）には、押ボタンスイッチ（停止ボタン５）側に突出する押圧突部１１が設けてある。バネ材１０が押ボタンスイッチ側に膨出すると、押圧突部１１が停止ボタン５を押圧して、開閉駆動回路を遮断する。この状態で、仮に開ボタン４を押したとしても、シャッターカーテンを上昇させることはできない。押圧突部１１は、バネ材１０が蓋体本体裏面側に膨出した通常状態では停止ボタン５に当たらないような高さに設定されている。
【００１９】
バネ材１０は略縦長方形状の板材であり、蓋体３に設けた鍵部を避けるように高さ方向中央部位には切り欠き部が形成してあるものの、蓋体３の略全面を覆うように設けてある。したがって、蓋体３の外側からどの部位にドリリングをしても、ドリルの先端がバネ材１０に当接することになり、バネ材１０に押ボタンスイッチに向う力が作用して、バネ材１０が上下端部を支点として反り返って押ボタンスイッチ側に膨出する。バネ材１０は好適には板バネ鋼等の金属製板バネでであるが、所定の強度と弾性を有していれば樹脂等の金属以外の部材からなるバネ材でもよい。
【００２０】
バネ材１０と蓋体３との装着の構成について図５に基づいて説明する。板バネ材１０は、好ましい態様では、弓形状に変形可能なバネ材本体１００と本体１００の上下両端に一体的に形成された装着片１０１とを有する。板バネ材１０は、本体１００の上下両端部位を支点として、蓋体３側、押ボタンスイッチ側にそれぞれ湾曲可能となっており、蓋体側に膨出した姿態の板バネ材１０に押ボタンスイッチに向う力が加わると、本体１００の上下両端を支点として本体１００が反り返って、押ボタンスイッチ側に膨出した姿態となる。板バネ材１０は、上下の装着片１０１を介して、蓋体３に装着されるが、好ましい態様では、上下の装着片１０１は、蓋体３の裏面に設けた上下の支持片１２に対して装着される。上下の支持片１２は、蓋体３の裏面に設けた上側補強片３１と下側補強片３２に対して装着されている。
【００２１】
上下の支持片１２は側面視において、押ボタンスイッチ側に延出する水平片１２０と水平片１２０の先端から対向状に垂直に延出する垂直片１２１とからＬ形状を有している。板バネ材１０の本体１００の上下端部は、支持片１２の垂直片１２１に対して蓋体３側から当接している。また、バネ材１０の水平状の装着片１０１と、支持片１２の水平片１２０および上側補強片３１、下側補強片３２とは略同じ寸法を有しており、バネ材１０の装着片１０１は上側補強片３１、下側補強片３２と密着していると共に、バネ材１０の装着片１０１の先端が蓋体３の裏面側に当接している。板バネ材１０に蓋体３側から力が作用した場合には、板バネ材１０の本体１００の上下端部と垂直片１２１との当接部位が支点となって反り返って板バネ材１０が押ボタンスイッチ側に膨出する。
【００２２】
図５では、上下の支持片１２は、蓋体３の裏面に設けた上側補強片３１と下側補強片３２に対して装着されているが、上下の支持片１２の構成はこれには限定されず、上側補強片３１と下側補強片３２のある部分が支持片１２を構成するようにしてもよい。また、蓋体３が補強片を有しない場合には、上下の支持片１２を蓋体３の裏面側に直接設けても良い。
【００２３】
図６は、板バネ材と蓋体の装着の他の構成を示す図である。図６（Ａ）に示すものでは、上側補強片３１と下側補強片３２が上下の支持片を兼用しており、上側補強片３１と下側補強片３２の先端を折曲することで垂直片１２１が形成されており、板バネ材１０の本体１００の上下端部は、支持片の垂直片１２１に対して蓋体３側から当接している。板バネ材１０の上下端部の装着片１０１は側面視コ字状に形成されており、上下の支持片（上側補強片３１と下側補強片３２）には係止孔が形成されており、側面視コ字形状の装着片１０１が該係止孔に係止している。
【００２４】
図６（Ｂ）は板バネ材と蓋体の装着の他の構成を示す図であり、図５に示す支持片の改良型を示している。支持片の垂直片１２１の中央部位を内側に折曲することで第二水平片１２２を形成し、板バネ材１０の本体１００の上下両端の幅方向中央部位に切り欠きを形成し、第二水平片１２２を該切り欠き部に係止させている。図５、図６において、板バネ材１０と蓋体３との装着の構成を示したが、板バネ材１０と蓋体３との装着には様々な構成が採用され得ることは当業者にとって容易に理解できることであり、本発明に係る板バネ材の装着の構成は図示のものに限定されるものではない。
【００２５】
このように構成されたスイッチボックス１において、スイッチボックス１の蓋体３表面から直接ドリリングを行なった場合に、蓋体３の穿孔が完了すると、蓋体３の裏側に位置して設けられた弓形状に湾曲したバネ材１０にドリルの先端が当接し、バネ材１０に対して押ボタンスイッチ側に向う力が作用する。かかる力によってバネ材１０が反り返って、停止スイッチ５に向って膨出し、バネ材１０に設けた押圧突部１１が停止スイッチ５を押圧してシャッター開閉駆動回路を遮断する。さらに、ドリリングを行なって開ボタンを押したとしても、停止スイッチ５が押されている間は、シャッターカーテンを上昇させることができない。また、バネ材１０は、ドリリングの際にドリルの先端を逃がす役割をも有する。すなわち、ドリル先端がバネ材に対して傾斜状に当たることとなるので、先端が逃げて孔を空け難くする。また、バネ材としてバネ鋼を用いた場合には、材質が硬いので孔を空けるためにドリルの先をバネ鋼におしつけるようにするが、この場合その押圧力でバネ鋼が押しボタン側に膨出して停止ボタンを押すこととなる。蓋体３をドリルで穴あけされたスイッチボックス１であっても、鍵を用いて蓋体３を開放すれば、蓋体側に装着されたバネ材１０は蓋体３と共に回動し、バネ材１０の押圧突部１１による停止ボタン５の押圧が解除され、通常の開閉操作が可能となる。バネ材１０の元の状態への復帰も、蓋体を開放してバネ材１０を押圧して蓋側へ膨出させるだけでよい。また、既設のスイッチボックスに対しても、箱体２及び蓋体３を交換することによって、本発明のスイッチボックス１を構成することができる。
【００２６】
図８、図９は、他の好ましい実施例を示しており、押しボタンスイッチ側に膨出して停止ボタン５を押圧したバネ材１０が蓋体側の元の位置に復帰して、停止ボタン５の押圧が解除されるのを防止する機構に係るものである。図８は、通常時を示しており、バネ材１０は上下端部位を支点として、上下方向中央部位が蓋体側へ膨出することで、弓形状の姿勢となっている。バネ材１０の上下端部位は蓋体裏面より離間しており、蓋体裏面とバネ材１０の上方部位の間には空間Ｓが形成されている。空間Ｓは、蓋体本体の裏面と蓋体の上側補強片３１と押しボタンスイッチ側から蓋体側に向かって斜め下方に延出するバネ材１０の上方部位の面部とによって画定されている。傾斜状のバネ材１０の面部によって、空間Ｓは上方から下方に向かって幅狭になっている。通常時において、空間Ｓには、スペーサ２０が設けてある。スペーサ２０の下端は傾斜状のバネ材１０の面部に当接支承されている。具体的には、スペーサ２０は、正面視方形状でかつ断面視略Ｌ形状の部材であり、蓋体の回動軸３７に対して上下方向に移動自在に設けてある。上述のように、スペーサ２０の下端が傾斜状のバネ材１０に当接することで、落下しないようになっている。
【００２７】
図８の状態から、バネ材１０が押ボタンスイッチ側に膨出すると、バネ材１０傾斜状の上方部位は押ボタンスイッチ側に移動するので、空間Ｓが大きくなる。空間Ｓが拡大することで、スペーサ２０はバネ部材１０の傾斜状の面部による支えがなくなるので、自重によって、回動軸３７に沿って下方に移動する。回動軸３７の上下方向の中央部位（バネ部材１０の上下方向の中央部位）にはストッパ２１が設けてあり、スペーサ２０がストッパ２１に当接することで、スペーサ２０のそれ以上の下方への移動が規制される。したがって、バネ材１０が押ボタンスイッチ側に膨出して停止ボタン５を押圧している間は、スペーサ２０は、膨出するバネ材１０の上下方向の中央部位あるいはその近傍（図では、中央部位の上方側）の背面側（蓋体側）に位置している。この状態で、仮に、バネ材１０を元の位置に復帰させようとしても、バネ材１０の面部がスペーサ２０に当接するので、バネ材１０が蓋体側に膨出することはできず、自動的にバネ材１０は再度押ボタン側に膨出して押圧突起１１が停止ボタン５を押圧することなる。スペーサによって、バネ部材１０の上下方向中央部位の最も膨出する部位が、バネ部材の上下端部を結ぶ線より蓋体裏面側に移動することを防止する。スペーサ２０の形状や構成は図示のものに限定されない。
【産業上の利用可能性】
【００２８】
本発明は、シャッター操作用スイッチボックスの防犯対策（ドリルによる蓋体の穴あけ対策）に有効である。
【図面の簡単な説明】
【００２９】
【図１】本発明に係るスイッチボックスを示す図であり、説明の都合上、内部が見やすいように蓋体を開放した状態で示す。左図は、通常時の板バネ材の形態を示し、板バネ材は外側（蓋体側）に向って膨出して弓形状となっている。右図は停止ボタン押圧時の板バネ材の形態を示し、板バネ材は内側（押ボタンスイッチ側）に向って膨出して弓形状となっている。右図において、蓋体が閉鎖されていると仮定すると、板バネ材の押圧突部が停止ボタンに当接して該ボタンを押圧することになる。
【図２】本発明に係るスイッチボックスを示し、左図は縦断面図、右図は一部を切り欠いて示す正面図である。左図において、図１の左図の板バネ材に対応する板バネ材は実線で、図１の右図の板バネ材に対応する板バネ材は二点鎖線で示してある。
【図３】本発明に係るスイッチボックスの蓋体を示す図である。
【図４】シャッターの開閉動作を示す回路図である。
【図５】板バネ材と蓋体の装着の構成を示す図である。
【図６】板バネ材と蓋体の装着の他の構成を示す図である。
【図７】従来のスイッチボックスを示し、左図は縦断面図、右図は一部を切り欠いて示す正面図である。
【図８】蓋体閉鎖状態で停止ボタンの押圧が解除されるのを防止する機構の説明図である。
【図９】蓋体閉鎖状態で停止ボタンの押圧が解除されるのを防止する機構の説明図である。
【符号の説明】
【００３０】
１  スイッチボックス
２  箱体
３  蓋体
４  開ボタン
５  停止ボタン
６  閉ボタン
１０  板バネ材
１１  押圧突部
【図１】
2005090113.tif 000003
【図２】
2005090113.tif 000004
【図３】
2005090113.tif 000005
【図４】
2005090113.tif 000006
【図５】
2005090113.tif 000007
【図６】
2005090113.tif 000008
【図７】
2005090113.tif 000009
【図８】
2005090113.tif 000010
【図９】
2005090113.tif 000011